(57)【要約】【課題】背上げ可能なベッドにおいて、背上げした状態でベッド側部にて端座位をとることなく前方から離床できるベッドを提供すること。【解決手段】昇降機構を有するベッド本体の昇降フレームに背部支持枠と腰部支持枠を支持する背上げ機構を配設する。また、腰部支持枠の前部に回動可能に配設された脚部支持枠を腰部支持枠の下方に収納するための収納機構を具備させる。そして、収納機構を作動させると、脚部支持枠が腰部支持枠との枢結部を中心に下方回動されるとともに、昇降機構が作動されベッドが設置されているフロアーと脚部支持枠が少なくとも接触しない高さに昇降フレームが上昇されるように構成する。そして、脚部支持枠の回動が進み、脚部支持枠が腰部支持枠の下方まで回動されるとともに、昇降フレームが下降されるように構成する。【選択図】図１
2006109930.tif 000002
【特許請求の範囲】
【請求項１】
昇降機構を有するベッド本体と、該ベッド本体の昇降フレームに配設される背部支持枠と腰部支持枠を支持する背上げ機構と、前記腰部支持枠の前部に回動可能に配設される脚部支持枠を腰部支持枠の下方に収納するための収納機構を有するベッドにおいて、収納機構を作動させると、前記脚部支持枠が腰部支持枠との枢結部を中心に下方回動されるとともに、昇降機構が作動されベッドが設置されているフロアーと脚部支持枠が少なくとも接触しない高さまで前記昇降フレームが上昇されるように構成し、さらに、脚部支持枠の回動が進み、脚部支持枠が腰部支持枠の下方まで回動されると、それに伴って昇降フレームが下降されるように構成したことを特徴とするベッド。
【発明の詳細な説明】
【技術分野】
【０００１】
本発明は、背上げ可能なベッドに関するものである。
【背景技術】
【０００２】
従来、一般的に使用されている背上げ可能なベッドとして、第５図に示したような動作をするものがある。このベッドは、図示のようにベッドの床部を屈曲可能に接続された頭側背床部、腰側背床部、腰床部、上腿床部、下腿床部とからなっている。そして、図示しない背上げ機構を用いて頭側背床部及び腰側背床部を上方に押し上げることにより、床部が起伏するようになっている。なお、この図に示すベッドでは、背上げ機構に連動して膝上げ機構も駆動され、上腿床部及び下腿床部が起伏するようにもなっている（例えば、特許文献１参照。）。
また、背上げ可能なベッドとして、前述と異なる第二の形態をとったものもある。これは、第６図に示すものである。このベッドは、床部を背ボトムを含む複数のボトムで構成し、隣接するボトムを屈曲可能に接続するとともに、前記背ボトムを起伏させる背上げ機構を有しており、背ボトムの背上げに連動して複数のボトムが頭側に移動し、ベッドサイドに置いてある物を無理なくとることができるように工夫されたものである（例えば、特許文献２参照。）。
さらに、上記と異なる第三の形態をとったものもある。これは、第７図に示すものである。この形態のベッドでは、背上げを行うとともに、脚部パネルが大腿部パネルに回動自在に枢着されており、脚部パネルが水平状態から垂下した状態に変更可能なもので、ベッドの状態と椅子の状態とに形態を変更することができるものである（例えば、特許文献３参照。）。
【０００３】
上記のように、背上げ可能なベッドとして様々な形態のものが提案されている。しかしながら、第一の形態における背上げ可能なベッドでは、ベッド上での療養時の快適性がよくなるように各床部に起伏機構が設けられているが、立ち上がる（離床する）ためには、ベッド側部で端座位をとる必要があり、身体の向きを換えなければならないものとなっている。
また、第二の形態における背上げ可能なベッドでは、背上げに連動して各ボトムが頭側に移動するように構成されており、背ボトムとヘッドボードとの間に大きな空間の発生を防止できるように配慮されている。しかしながら。各ボトムが頭側に移動することにより、ベッドフレームと脚ボトム間に隙間ができる構成となっている。そのため、この隙間に布団等が入り込みやすく、正常な動作の妨げとなる恐れがあった。さらに、第一の形態のベッドと同様に、身体の向きを換えてから、立ち上がらなければならないものとなっている。
【０００４】
さらに、第三の形態における背上げ可能なベッドでは、背上げとともに脚部パネルが下方回動するように構成されており、椅子状の形態をとることが可能となっている。すなわち、第一及び第二の形態における背上げ可能ベッドではベッドから離床する際に身体の向きを９０度回転させて、ベッドサイドに端座位をとった姿勢から立ち上がらなければならないが、この第三の形態のベッドでは、身体の向きを換えることなく、ベッドに寝た状態から椅子に腰掛けた状態まで自動的にベッド側の操作によって行われるので、離床することが容易であるという効果がある。しかしながら、このベッドも第一の形態と略々同様に頭部側には、背上げに伴い大きな空間が発生するという欠点を有している。また、椅子状態で着座した姿勢を楽なものとするためには、臀部から膝までの長さと略々同等の大きさの大腿部パネルとする必要があり、この大腿部パネルの大きさになると、脚部パネルは膝下の長さ以上の長さを有していないとベッド上で仰臥する際にベッドから脚がはみ出してしまう欠点がある。そのため、大きな脚部パネルとなり、座った状態では使用者の脚が床に届かない状態となるものであり、使用上においては、立ち上がり易さにかけるものである。
【０００５】
このように、従来の背上げ可能なベッドでは療養者のベッド上での療養に際しては好適であるが、療養者がベッドから離床し、何らかの活動をするにはあまり適したものではなかった。
【特許文献１】特開平１１−１１３９７７号公報
【特許文献２】特開２００２−２００１２２号公報
【特許文献３】特表平９−５０８０４１号公報
【発明の開示】
【発明が解決しようとする課題】
【０００６】
本発明は上記事情に鑑み、背上げ可能なベッドにおいて、背上げした状態においてベッド側部で端座位をとることなく前方から離床できるベッドを提供することを課題としている。
【課題を解決するための手段】
【０００７】
請求項１の発明は、昇降機構を有するベッド本体と、該ベッド本体の昇降フレームに配設される背部支持枠と腰部支持枠を支持する背上げ機構と、前記腰部支持枠の前部に回動可能に配設される脚部支持枠を腰部支持枠の下方に収納するための収納機構を有するベッドにおいて、収納機構を作動させると、前記脚部支持枠が腰部支持枠との枢結部を中心に下方回動されるとともに、昇降機構が作動されベッドが設置されているフロアーと脚部支持枠が少なくとも接触しない高さまで前記昇降フレームが上昇されるように構成し、さらに、脚部支持枠の回動が進み、脚部支持枠が腰部支持枠の下方まで回動されると、それに伴って昇降フレームが下降されるように構成したことを特徴とする。
【発明の効果】
【０００８】
請求項１の発明によれば、脚部支持枠を腰部支持枠の下方に収納するための収納機構を作動させると、前記脚部支持枠が腰部支持枠との枢結部を中心に下方回動されるとともに、昇降機構が作動されベッドが設置されているフロアーと脚部支持枠が少なくとも接触しない高さまで前記昇降フレームが上昇されるように構成した。さらに、脚部支持枠の回動が進み、脚部支持枠が腰部支持枠の下方まで回動されると、それに伴って昇降フレームが下降されるように構成した。これによると、脚部支持枠を収納させる際に、前以て昇降機構にて昇降フレームを上昇させる等の手順が必要なく、ベッドに仰臥した使用者の脚部を十分に保持できる大きな脚部支持枠をスムーズに収納することができる。また、脚部支持枠を腰部支持枠の下方に収納した状態において、昇降フレームは下降されており、使用者が離床しやすくできる。さらに、脚部支持枠を収納した状態において、ベッド前方に大きな空間を形成することができる。また、背上げ機構と収納機構を併用することで、ベッドの高さを使用者が離床しやすい高さにてソファー状態とすることができ、自動的にベッドに仰臥した使用者を腰掛けた状態にできることから、ベッドの側部で端座位を取ることなく、使用者がベッド前方から容易に離床できる。
【発明を実施するための最良の形態】
【０００９】
ベッドにおいて、昇降機構を有するベッド本体の昇降フレームに背部支持枠と腰部支持枠を支持する背上げ機構を配設する。また、前記腰部支持枠の前部に回動可能に配設された脚部支持枠を腰部支持枠の下方に収納するための収納機構を具備させる。そして、収納機構を作動させると、前記脚部支持枠が腰部支持枠との枢結部を中心に下方回動されるとともに、昇降機構が作動されベッドが設置されているフロアーと脚部支持枠が少なくとも接触しない高さまで前記昇降フレームが上昇されるように構成する。そして、さらに脚部支持枠の回動が進み、脚部支持枠が腰部支持枠の下方まで回動されると、それに伴って昇降フレームが下降されるように構成する。
【００１０】
これによると、このベッドは、脚部支持枠を腰部支持枠の下方に収納させる際に、前以て昇降機構にて昇降フレームを上昇させる等の手順が必要なく、ベッドに仰臥した使用者の脚部を十分に保持できる大きな脚部支持枠をスムーズに収納することができる。また、脚部支持枠を収納した状態において、ベッド前方に大きな空間を形成することができる。さらに、脚部支持枠を収納した状態においては、昇降フレームは下降されており、使用者が離床しやすくできる。
また、このベッドは、背上げ機構と収納機構を併用することで、ベッドの高さを使用者が離床しやすい高さにてソファー状態とすることができ、自動的にベッドに仰臥した使用者を腰掛けた状態にできることで、ベッドの側部で端座位を取ることなく、使用者がベッド前方から容易に離床できる。
【実施例１】
【００１１】
本発明にかかるベッドの一実施形態を図面に基づいて説明する。第１図はベッドを示す側面図である。第２図はベッド本体を示す側面図である。第３図は背上げ機構が作動する様子を示す側面図である。第４図は収納機構が作動する様子を示す側面図である。
【００１２】
このベッド１は、フロアーＦＬに設置されるベッド本体２と、該ベッド本体２に配設され背部支持枠３と腰部支持枠４を支持する背上げ機構５と、前記腰部支持枠４に回動可能に配設された脚部支持枠６を腰部支持枠４下方に収納するための収納機構７から主に構成されている。
【００１３】
まず、ベッド本体２について説明する。
このベッド本体２は、第２図に示すように、フロアーＦＬ上に設置される固定フレーム８と昇降フレーム９とを平行リンク機構１０により連結してなり、昇降フレーム９を昇降可能に構成している。すなわち、前記平行リンク機構１０は適宜伸縮作動可能なアクチュエーター１１により作動されるよう設けられており、第２図の（ｂ）図に示すように、アクチュエーター１１の伸縮作動によって昇降フレーム９の高さを適宜設定変更可能な昇降機構１２がベッド本体２に内在にされている。
【００１４】
次に、前記ベッド本体２に配設されるとともに、背部支持枠３及び腰部支持枠４を支持する背上げ機構５について説明する。
この背上げ機構５は、第１図の（ａ）図に示すように、前記ベッド本体２の昇降フレーム９に前後摺動可能に配設された摺動フレーム１３と、該摺動フレーム１３と前記昇降フレーム９との間に構成された背上げリンク１４と、該背上げリンク１４にて前記昇降フレーム９に対して略々平行に支持された前記背部支持枠３と、該背部支持枠３に並設されるとともに前記昇降フレーム９に対して略々平行に前記摺動フレーム１３に支持された前記腰部支持枠４から、前記両支持枠３，４が前後移動可能かつ背部支持枠３が背上げ可能に構成されている。すなわち、前記摺動フレーム１３は適宜伸縮作動可能なアクチュエーター１５により摺動されるよう設けられており、第３図に示すように、摺動フレーム１３が後方へ移動されることで背上げリンク１４が作動され、背部支持枠３は後方へ移動されながら背上げされる。これとともに、腰部支持枠４は後方へ移動されながら、第３図の（ａ）図に示すように、前記昇降フレーム９に配設されたカムプレート９ａの作用により腰部支持枠４の前方側が上方へ回動され、さらに、摺動フレーム１３の移動が進むと、（ｂ）図に示すように、腰部支持枠４が前記昇降フレーム９と略々平行な状態に戻るように作動される構成とされている。
このように、背上げ機構５を作動させることで、第１図の（ａ）図に示すベッド状態と第３図の（ｂ）図に示す背部支持枠３が背上げされた状態とで、ベッド１の使用者の手の届く範囲を略々同じ範囲とすることができ、使用者に不便感を与えないようにできる。また、ヘッドボード１６と背上げされた背部支持枠３の間に形成される空間を極力小さなものとすることができ、その空間に異物等が進入しにくくできる。
【００１５】
続いて、前記腰部支持枠４に回動可能に配設される脚部支持枠６を腰部支持枠４下方に収納するための収納機構７について説明する。
この収納機構７は、第１図の（ａ）図に示すように、前記脚部支持枠６を前記腰部支持枠４の前側に枢結させるとともに、前記摺動フレーム１３に固定されたプレート１７の下部にモーター１８を固定させ、該モーター１８の回転軸１８ａに一端を固定させた回動杆１９の他端に杆体２０の一端を枢結させ、さらに、杆体２０他端側を前記脚部支持枠６に枢結させて構成されている。なお、第１図の（ａ）図に示すベッド状態において、各支持枠３，４，６は同一平面を形成するようにされており、その上部にはマットＭが配設される。
このように構成された収納機構７は、第１図の（ａ）図に示す状態からモーター１８を作動させて回動杆１９を回動させると、杆体２０が後下方向へ引き込まれるようになり、脚部支持枠６が腰部支持枠４との枢結部Ｓを中心に下方向へ回動される。これに伴って、収納機構７のモーター１８を制御させる図示しない制御装置によって、前記ベッド本体２の昇降機構１２が作動されて昇降フレーム９が、第４図の（ａ）図に示す脚部支持枠６が腰部支持枠４に略々垂下された状態に至ったときに、脚部支持枠４とフロアーＦＬが少なくとも接触しない高さまで上昇される。そして、さらに回動杆１９の回動が進み、脚部支持枠６が腰部支持枠４の下方に収納された状態に近づくに連れて昇降機構１２にて昇降フレーム９が下降され、（ｂ）図に示すように、脚部支持枠６が腰部支持枠４の下方に収納された状態かつ昇降フレーム９が元の高さ、すなわち、使用者がベッド１からに離床しやすい高さとなるように作動される。
【００１６】
このように、収納機構７を作動させることに伴って昇降機構１２にて昇降フレーム９を昇降させることで、脚部支持枠６とフロアーＦＬが接触することなく脚部支持枠６を回動させ収納させることができるとともに、脚部支持枠６を収納させる際、前以て、昇降機構１２にて昇降フレーム９を上昇させる等の手順も必要なく、スムーズに脚部支持枠６を腰部支持枠４下方に収納することができる。また、第１図の（ａ）図に示すベッド状態において、ベッド１に仰臥した使用者の脚部を十分に保持できる大きな脚部支持枠６であってもスムーズに収納させることができる。さらに、脚部支持枠６を収納した状態において、ベッド前方に大きな空間を形成することができる。また、脚部支持枠を収納させた状態では、昇降フレームは下降されており、使用者が離床しやすくできる。
【００１７】
このように構成されたベッド１は、背上げ機構５と収納機構７を併用することで、第１図の（ａ）図に示すベッド状態から（ｂ）図に示すように、腰部支持枠４の高さを使用者が離床しやすい高さにてソファー状態とすることができる。また、ソファー状態とすることができることで、ベッド１に仰臥した使用者が身体の向きを換えることなく自動的に腰掛けた状態となれ、ベッド１の側部で端座位を取ることなく、使用者がベッド１前方から容易に離床できる。
また、背上げ機構５は、背部支持枠３を背上げさせる際に第３図の（ａ）図に示すように腰部支持枠４を一度上方へ回動させるようにしており、図示しない制御装置により背上げ機構５と収納機構７を同時に作動させる際に、腰部支持枠４が最も上方に回動されたときに脚部支持枠６が腰部支持枠４に垂下された状態となるよう各機構５，７を作動させるようにすると、昇降フレーム９を上昇させる量をより小さくすることができ使用者に恐怖感を極力与えないようにできる。
【００１８】
なお、本実施例においては、昇降機構１２に平行リンク機構１０を用いたものを例示しているが、図示はしていないが、アクチュエーター等を用いて固定フレームに対して昇降フレームを直接的に持ち上げるようにした昇降機構を用いても良い。また、固体フレームと昇降フレームとの間に配設したワイヤー等の中途部をアクチュエーター等で押し引きさせることによって固定フレームに対して昇降フレームを昇降させるようにした昇降機構を用いても良く、昇降機構の形態はこの限りでなく、前記収納機構に連動して制御できる昇降機構であれば、同様の作用と効果を得ることができる。
また、本実施例においては、背上げ機構５が摺動フレーム１３の前後移動によって作動するように構成しているが、一般的なベッドのように頭部側に各支持枠が接近しない構成としても良い。このような構成の背上げ機構とした場合には、収納機構を、例えば、ベッド本体の昇降フレームと脚部支持枠の間に構成しても良い。
【図面の簡単な説明】
【００１９】
【図１】ベッドを示す側面図。                                                （ａ）ベッド状態を示す側面図。                                              （ｂ）ソファー状態を示す側面図。
【図２】ベッド本体を示す側面図。                                            （ａ）昇降フレームが下降した状態を示す側面図。                              （ｂ）昇降フレームが上昇した状態を示す側面図。
【図３】背上げ機構が作動する様子を示す側面図。                              （ａ）背部支持枠が起立される途中を示す側面図。                              （ｂ）背部支持枠が起立された状態を示す側面図。
【図４】収納機構が作動する様子を示す側面図。                                （ａ）脚部支持枠が収納される途中を示す側面図。                              （ｂ）脚部支持枠が収納された状態を示す側面図。
【図５】特許文献１のベッドを示す側面図。
【図６】特許文献２のベッドを示す側面図。
【図７】特許文献３のベッドを示す側面図。
【符号の説明】
【００２０】
１    ベッド
２    ベッド本体
３    背部支持枠
４    腰部支持枠
５    背上げ機構
６    脚部支持枠
７    収納機構
９    昇降フレーム
ＦＬ  フロアー
Ｓ    枢結部
【図１】
2006109930.tif 000003
【図２】
2006109930.tif 000004
【図３】
2006109930.tif 000005
【図４】
2006109930.tif 000006
【図５】
2006109930.tif 000007
【図６】
2006109930.tif 000008
【図７】
2006109930.tif 000009